(57)【要約】【課題】本発明の目的は、ジッパーを構成する雄部材及び雌部材の変形を防止し、雄部材と雌部材との嵌合を容易に、かつ、確実にすることができるジッパー及びそのジッパーを取り付けたジッパー付き包装袋を提供することである。【解決手段】本発明に係るジッパー１００は、一対の雄部材２０及び雌部材３０を、袋体１の開口部５を構成するフィルム２（２ａ，２ｂ）に向かい合わせに設けて、雄部材及び雌部材が嵌合して咬合部５０を形成し、開口部５を再閉鎖可能にするジッパーにおいて、フィルムに、咬合部と平行にガイド４０を並設し、ガイドと咬合部の中心５０ａとの間隔Ｓ１を５ｍｍ以下とし、かつ、ガイドを咬合部よりも高く形成する。【選択図】図２
2012115511.tif 000002
【特許請求の範囲】
【請求項１】
一対の雄部材及び雌部材を、袋体の開口部を構成するフィルムに向かい合わせに設けて、前記雄部材及び前記雌部材が嵌合して咬合部を形成し、前記開口部を再閉鎖可能にするジッパーにおいて、
前記フィルムに、前記咬合部と平行にガイドを並設し、
該ガイドと前記咬合部の中心との間隔を５ｍｍ以下とし、かつ、前記ガイドを前記咬合部よりも高く形成することを特徴とするジッパー。
【請求項２】
前記ガイドの高さ及び前記ガイドと前記咬合部の中心との間隔を、前記雄部材と前記雌部材とを指腹で押さえた時に、前記ガイドと前記咬合部との間の前記雄部材を設けた側のフィルムと前記雌部材を設けた側のフィルムとが非接触となるように設定することを特徴とする請求項１に記載のジッパー。
【請求項３】
前記ガイドが、前記咬合部の両脇に少なくとも１本ずつ設けられていることを特徴とする請求項１又は２に記載のジッパー。
【請求項４】
前記ガイドの天面が、平坦面又は溝部を有することを特徴とする請求項１〜３のいずれか一つに記載のジッパー。
【請求項５】
請求項１〜４のいずれか一つに記載のジッパーを備えることを特徴とするジッパー付き包装袋。
【発明の詳細な説明】
【技術分野】
【０００１】
本発明は、袋体の開口部に設けて、開口部を再閉鎖可能にするジッパー及びそのジッパーを備えるジッパー付き包装袋に関する。
【背景技術】
【０００２】
従来、食品、医薬品、部品など各種物品を封入する包装袋として、開口部の内面にジッパーと呼ばれる帯状の構造体を設けた包装袋が利用されている（例えば、特許文献１を参照。）。ジッパーは、一般的に、一対の雄部材と雌部材とを有し、雄部材と雌部材とは、包装袋の開口部を構成するフィルムに向かい合わせに取り付けられている。このようなジッパーは、雄部材と雌部材とが嵌合状態とすることで、包装袋の開口部を閉鎖し、雄部材と雌部材とが非嵌合状態とすることで、包装袋の開口部を開放する。
【０００３】
使用者は、包装袋の開口部を閉鎖する時には、指腹（一般的には、親指及び人差指の指腹）を雄部材及び雌部材の背面に押し当てて、挟持したまま、その指先をジッパーの長手方向全域にわたって滑らせることによって、雄部材と雌部材とを嵌合させて咬合部を形成する。こうした開口部を閉鎖する操作を、使用者が容易に、かつ、確実に行うための技術が開示されている（例えば、特許文献２を参照。）。特許文献２に記載の包装袋は、ジッパーの近傍にジッパーと平行に堰状帯を設けたものである。ジッパーの背面を指腹部で挟圧すると、指腹部が、ジッパーと堰状帯との間の窪みに入り込み、窪みに入り込んだ指腹部は、ジッパーと堰状帯とに挟まれた状態で案内規制され、指腹がジッパーの背面ラインから逸脱することを阻止する。
【０００４】
また、開口部を閉鎖する操作においては、咬合部が指先によって覆われてしまうために、使用者はジッパーが適切に閉じられたか否かを感知し難くなってしまう。そこで、嵌合状態を容易に感知させる技術が開示されている（例えば、特許文献３又は特許文献４を参照。）。特許文献３及び特許文献４をはじめとするジッパーは、雄部材又は雌部材の少なくとも一方をその長手方向に沿って構造上不連続としている。雄部材と雌部材とが不連続に嵌合するため、使用者は、嵌合する毎に生じる振動又は動揺感を指先で感知し、更には、嵌合する時に生じるカチッという音を聞くことで、ジッパーが適切に閉じられたか否かを判断することができる。
【先行技術文献】
【特許文献】
【０００５】
【特許文献１】特表２００４−５１１４０１号公報
【特許文献２】特開２００９−１９６６５８号公報
【特許文献３】特開平８−５８８１１号公報
【特許文献４】特表平１１−５０１８９０号公報
【発明の概要】
【発明が解決しようとする課題】
【０００６】
ところで、ジッパー付き包装袋は、物品の出し入れをしやすくする観点から、開口部の長手方向の長さが長いものが多く見られるようになり、それに合わせてジッパーの長手方向の長さも長くなっている。さらには、包装袋を構成するフィルムは、薄肉化する傾向にある。しかし、腰が弱い薄肉のフィルムを用いた包装袋で、ジッパーの長手方向の長さが長くなるほど、雄部材と雌部材とを挟持した時に、雄部材と雌部材とを適切に嵌合させることが困難となる。雄部材と雌部材との適切な嵌合位置からずれた状態で力強く挟持すると、雄部材及び雌部材は変形しやすい。一旦変形すると、再閉鎖の操作において、雄部材と雌部材とを嵌合させにくくなったり、変形箇所での密閉性が悪くなったり、本来の機能を果たさなくなる場合があった。そこで、雄部材及び雌部材の変形を防止する対策が必要となるが、特許文献１〜特許文献４に記載のジッパー付き包装袋では、このような対策はとられていない。
【０００７】
本発明の目的は、ジッパーを構成する雄部材及び雌部材の変形を防止し、雄部材と雌部材との嵌合を容易に、かつ、確実にすることができるジッパー及びそのジッパーを取り付けたジッパー付き包装袋を提供することである。
【課題を解決するための手段】
【０００８】
本発明に係るジッパーは、一対の雄部材及び雌部材を、袋体の開口部を構成するフィルムに向かい合わせに設けて、前記雄部材及び前記雌部材が嵌合して咬合部を形成し、前記開口部を再閉鎖可能にするジッパーにおいて、前記フィルムに、前記咬合部と平行にガイドを並設し、該ガイドと前記咬合部の中心との間隔を５ｍｍ以下とし、かつ、前記ガイドを前記咬合部よりも高く形成することを特徴とする。
【０００９】
本発明に係るジッパーでは、前記ガイドの高さ及び前記ガイドと前記咬合部の中心との間隔を、前記雄部材と前記雌部材とを指腹で押さえた時に、前記ガイドと前記咬合部との間の前記雄部材を設けた側のフィルムと前記雌部材を設けた側のフィルムとが非接触となるように設定することが好ましい。ジッパーを閉鎖する操作において、ガイドと咬合部とを同時に押すこととなり、ジッパーにかかる押圧力を分散することができる。
【００１０】
本発明に係るジッパーでは、前記ガイドが、前記咬合部の両脇に少なくとも１本ずつ設けられていることが好ましい。ジッパーの背面が凹型となるため、雄部材と雌部材との嵌合を誘導し、雄部材と雌部材とをより確実に嵌合することができる。
【００１１】
本発明に係るジッパーでは、前記ガイドの天面が、平坦面又は溝部を有することが好ましい。指腹が、ガイドから滑り落ちるのを防止することができる。
【００１２】
本発明に係るジッパー付き包装袋は、本発明に係るジッパーを備えることを特徴とする。
【発明の効果】
【００１３】
本発明は、ジッパーを構成する雄部材及び雌部材の変形を防止し、雄部材と雌部材との嵌合を容易に、かつ、確実にすることができるジッパー及びそのジッパーを取り付けたジッパー付き包装袋を提供することができる。
【図面の簡単な説明】
【００１４】
【図１】本発明に係るジッパーを取り付けた袋体の一例を示す部分平面図である。
【図２】図１のＡ‐Ａ断面図であり、（ａ）は嵌合前の状態、（ｂ）は嵌合した状態である。
【図３】袋体に取り付けられたジッパーの形態例を示す斜視図であり、（ａ）はガイドの天面が平坦面である形態、（ｂ）はガイドの天面が溝部を有する形態である。
【図４】袋体に取り付けられた従来のジッパーを指腹で挟持した状態を示す断面図である。
【発明を実施するための形態】
【００１５】
次に、本発明について実施形態を示して詳細に説明するが本発明はこれらの記載に限定して解釈されない。本発明の効果を奏する限り、実施形態は種々の変形をしてもよい。
【００１６】
図１は、本発明に係るジッパーを取り付けた袋体の一例を示す部分平面図である。図２は、図１のＡ‐Ａ断面図であり、（ａ）は嵌合前の状態、（ｂ）は嵌合した状態である。本実施形態に係るジッパー１００は、一対の雄部材２０及び雌部材３０を、袋体１の開口部５を構成するフィルム２（２ａ，２ｂ）に向かい合わせに設けて、雄部材２０及び雌部材３０が嵌合して咬合部５０を形成し、開口部５を再閉鎖可能にするジッパーにおいて、フィルム２に、咬合部５０と平行にガイド４０を並設し、ガイド４０と咬合部５０の中心５０ａとの間隔Ｓ１を５ｍｍ以下とし、かつ、ガイド４０を咬合部５０よりも高く形成する。
【００１７】
袋体１は、フィルム２（２ａ，２ｂ）で構成される。フィルム２は、熱可塑性樹脂であることが好ましい。熱可塑性樹脂は、例えば、ポリエチレン樹脂、ポリプロピレン樹脂、ポリ塩化ビニル樹脂、ポリスチレン樹脂、ポリアミド樹脂、ポリエチレンテレフタレート樹脂である。フィルム２の構成は、単層であるか、又は多層であるかを問わない。多層である場合には、熱可塑性樹脂製フィルムが２層以上積層した積層フィルム又は１層以上の熱可塑性樹脂製フィルムとアルミニウム箔、紙、不織布などのシートとを積層した積層フィルムを用いることができる。ガスバリア性の向上を目的として、ガスバリア性フィルムを積層することができる。ガスバリア性フィルムとしては、クレハ社製のベセーラ（登録商標）Ｒ、ＥＴ‐Ｒなどの市販品を用いることができる。なお、フィルム２の材質及び構成は、包装される被包装物、使用温度などの諸条件を考慮して、適宜選択可能である。フィルム２の厚さは、特に限定されないが、例えば、総厚で１０〜３００μｍである。
【００１８】
袋体１は、開口部５を有する。開口部５を除く周辺には、シール部６が形成されて、収容空間４を形成している。袋体１の形状は、特に限定されず、例えば、三方シール袋、四方シール袋、スタンディングパウチ、ガゼットパウチ又はこれらの変形袋である。
【００１９】
開口端辺５ｃから所定の距離離れた位置には、ジッパー１００が設けられ、開口部５を再閉鎖可能としている。ジッパー１００と開口端辺５ｃとの間の部分のフィルム２（２ａ，２ｂ）は、ジッパー１００を開封する時の摘み片３となる。
【００２０】
摘み片３には、図１に示すように、開口端辺５ｃと略平行に延設されて、袋体１の内面側に凸であるアンチスリップリブ９を１本以上設けることが好ましい。アンチスリップリブ９は、指腹が滑るのを防止する役割、摘み片３を補強する役割及びジッパー１００の開閉時に摘み片３同士の密着を防止する役割をもつ。アンチスリップリブ９は、摘み片３を構成するフィルム２ａ，２ｂに向かい合わせに形成することが好ましい。さらに、開口端辺５ｃ近傍には、アンチスリップリブ９よりも高さが高い強化リブ９ａを設けることが好ましい。強化リブ９ａは、開口端辺５ｃのフィルム２（２ａ，２ｂ）が変形するのを防止することができる。さらに、摘み片３同士の密着を防止して、使用者が容易にジッパー１００の開封を行うことができる。
【００２１】
ジッパー１００は、図２（ａ）に示すように、袋体１の開口部５を構成する対向する２枚のフィルム２ａ，２ｂの内表面２ａ１，２ｂ１に取り付けられ、一対の雄部材２０及び雌部材３０を有する。雄部材２０と雌部材３０とは、図２（ｂ）に示すように、互いに嵌合して咬合部５０を形成する。咬合部５０は、収容空間４を密閉して、被包装物（不図示）を袋体１内に封入する。
【００２２】
雄部材２０は、フィルム２ａの内表面２ａ１に雌部材３０に向かって突設された足部２２と、足部２２の上端に幅広に突設された頭部２１とを有する。頭部２１の断面形状は、雌部材３０と係脱可能であれば特に限定されないが、頭部２１の下面２１ｂから頭部２１の上端部２１ａに向かって断面が先細になる形状であることが好ましい。このような頭部２１の断面形状は、図２に示すような三角形状の他、例えば、台形状、円状、半円状、楕円状又はこれらの変形形状である。足部２２の断面形状は、特に限定されないが、図２に示すような四角形状の他、例えば、三角形状、台形状又はこれらの変形形状である。
【００２３】
雌部材３０は、フィルム２ｂの内表面２ｂ１に雄部材２０に向かって突設され、対向する第一側片３１及び第二側片３２を有する。第一側片３１と第二側片３２との間には、凹部３３が形成されている。凹部３３の形状は、雄部材２０の頭部２１を収容可能な形状であればよく、頭部２１と異なる形状とするか、又は同じ形状としてもよい。第一側片３１の端部３１ａ及び第二側片３２の端部３２ａは、互いに近接する方向に鉤状に屈曲しており、凹部３３の入口の間隔Ｓ３は、頭部２１の下面２１ｂの幅（図２の左右方向の寸法）Ｗ２よりも狭く形成されていることが好ましい。鉤状の第一側片３１の端部３１ａ，第二側片３２の端部３２ａが、凹部３３に嵌入した頭部２１の下面２１ｂに掛合して、雄部材２０と雌部材３０との嵌合状態を保持することができる。
【００２４】
ジッパー１００は、更に、咬合部５０と平行にフィルム２に並設されたガイド４０を有する。ガイド４０は、咬合部５０を形成時において、対向する２枚のフィルム２ａ，２ｂ間を支持する役割をもつ。ガイド４０は、雄部材２０を設けた側のフィルム２ａの内表面２ａ１若しくは雌部材３０を設けた側のフィルム２ｂの内表面２ｂ１のいずれか一方又は両方に突設される。ガイド４０の形態例としては、雄部材２０側及び雌部材３０側にそれぞれ対面して設けた突条同士を上端で当接してガイド４０を形成する形態、又は図２（ａ）に示すように、ガイド４０と対面するフィルム（ガイド４０を突設した側のフィルム２ａと対向するフィルム）２ｂの内表面２ｂ１が平坦面であり、該平坦面にガイド４０の天面４０ａが当接する形態である。本実施形態では、後者の形態であることがより好ましい。前者の形態では、突条の上端の幅が狭いと、突条同士を当接させるのが困難となる場合があり、又は当接させても押圧力が与えられることで当接部が横ずれするおそれがあり、ガイド４０の役割を果たさない場合があるところ、後者の形態とすることで、ガイド４０が当接部を有さないため、対向する２枚のフィルム２ａ，２ｂ間をより安定的に支持することができる。
【００２５】
図３は、袋体に取り付けられたジッパーの形態例を示す斜視図であり、（ａ）はガイドの天面が平坦面である形態、（ｂ）はガイドの天面が溝部を有する形態である。ガイド４０の断面形状は、特に限定されないが、例えば、四角形状、台形状、半円状、円状、楕円状、三角形状又はこれらの変形形状である。本実施形態に係るジッパー１００では、ガイド４０の天面４０ａが、平坦面であることが好ましい。例えば、断面形状が三角形状のようにガイド４０とフィルム２とが線で接する形状では、指腹がガイド４０から滑りやすく、安定して挟圧するのが困難であるのに対して、図３（ａ）に示すようにガイド４０フィルム２とが平坦面で接する形状では、指腹をガイドの天面４０ａに乗せて、安定して挟圧することができる。このようなガイド４０の形状は、図３（ａ）に示す四角形状の他、例えば、台形状である。
【００２６】
本実施形態に係るジッパー１００では、図３（ｂ）に示すように、ガイド４１の天面４１ａが、溝部４１ｂを有することが好ましい。ガイド４１の天面４１ａが、溝部４１ｂを形成することで、天面４１ａに段差ができるため、指腹が滑るのを更に防止して、より安定して挟圧することができる。天面４１ａに溝部４１ｂを有する形態は、図３（ｂ）にしめすような断面四角形状の上部に溝部４１ｂを形成する形態の他、雌部材３０と同様の形状で、高さＴ４が高い形態を包含する。この場合には、雌部材３０の鉤状に屈曲した第一側片の端部３１ａと第二側片３２の端部３２ａとが断面視で２点支持体を形成して指腹の滑り落ちを防止し、安定して挟圧することができる。
【００２７】
ガイド４０の天面４０ａの幅（図３の左右方向の寸法）Ｇは、０．５ｍｍ以上であることが好ましい。より好ましくは、１．０ｍｍ以上である。０．５ｍｍ未満では、指腹がガイド４０から滑りやすくなる場合がある。また、ガイド４０の強度が不足する場合がある。ガイド４０の天面４０ａの幅Ｇの上限値は、袋体１との見た目のバランスの点で、２．０ｍｍとすることが好ましい。より好ましくは、１．５ｍｍである。
【００２８】
ガイド４０と咬合部５０の中心５０ａとの間隔Ｓ１は、５ｍｍ以下である。より好ましくは、３ｍｍ以下であり、特に好ましくは、２ｍｍ以下である。ここで、ガイド４０と咬合部５０の中心５０ａとの間隔Ｓ１は、ガイド４０の咬合部５０側の側面と咬合部５０との最短距離である。ガイド４０と咬合部５０の中心５０ａとの間隔Ｓ１を前記範囲とすることで、ジッパー１００を閉鎖する操作において、ガイド４０と咬合部５０とを同時に押すこととなり、ジッパー１００にかかる押圧力を分散することができる。結果として、雄部材２０又は雌部材３０の変形を防止することができる。さらに、指腹がガイド４０と咬合部５０との間に深く入り込むのを防止することができ、指腹が雄部材２０及び雌部材３０に与える力Ｆａ，Ｆｂが、雄部材２０及び雌部材３０が適切に嵌合する方向に働くため、より確実に嵌合することができる。ガイド４０と咬合部５０の中心５０ａとの間隔Ｓ１が５ｍｍを超えると、ガイド４０と咬合部５０との間に指腹が入り込んで、咬合部５０に過剰な押圧力が与えられ、変形するおそれがある。さらに、指腹が雄部材２０及び雌部材３０に与える力Ｆａ，Ｆｂが、雄部材２０及び雌部材３０が適切に嵌合する方向とは違う方向に働く場合があり、雄部材２０と雌部材３０とが不適切な位置で接した状態で力強く挟持すると、雄部材２０及び雌部材３０が変形するおそれがある。さらに、変形によって、雄部材２０と雌部材３０とが嵌合しにくくなる、変形箇所での密閉性が悪くなるなど、ジッパーとしての本来の機能を果たさなくなる場合がある。
【００２９】
さらに、ガイド４０の高さ（図２の上下方向の寸法）Ｔ４は、咬合部５０の高さＴ５よりも高く形成する。ガイド４０の高さＴ４は、０．５ｍｍを超え３．０ｍｍ以下であることが好ましく、１．０ｍｍを超え２．５ｍｍ以下であることがより好ましい。咬合部４０の高さＴ５は、０．５ｍｍ以上３．０ｍｍ未満であることが好ましく、１．０ｍｍ以上２．５ｍｍ未満であることがより好ましい。
【００３０】
ガイド４０の高さＴ４と咬合部５０の高さＴ５との比（Ｔ４／Ｔ５）は、１．０を超え１．５以下であることが好ましい。より好ましくは、１．２以上１．３以下である。Ｔ４／Ｔ５が、１．０以下では、咬合部５０に過剰な押圧力が加わったときに、雄部材２０又は雌部材３０が変形する場合がある。Ｔ４／Ｔ５が、１．５を超えると、咬合部５０を形成することが困難となる場合がある。
【００３１】
本実施形態に係るジッパー１００では、ガイド４０の高さＴ４及びガイド４０と咬合部５０の中心５０ａとの間隔Ｓ１を、雄部材２０と雌部材３０とを指腹で押さえた時に、ガイド４０と咬合部５０との間の雄部材２０を設けた側のフィルム２ａと雌部材３０を設けた側のフィルム２ｂとが非接触となるように設定することが好ましい。ガイド４０と咬合部５０との間に指腹が深く入り込んで、ガイド４０と咬合部５０との間の雄部材２０を設けた側のフィルム２ａと雌部材３０を設けた側のフィルム２ｂとが接触すると、指腹が雄部材２０及び雌部材３０に与える力Ｆａ，Ｆｂが、雄部材２０及び雌部材３０が適切に嵌合する方向とは違う方向に働きやすくなり、ジッパー掛けを確実に行うことができない場合がある。これに対して、ガイド４０と咬合部５０との間の雄部材２０を設けた側のフィルム２ａと雌部材３０を設けた側のフィルム２ｂとが非接触になるように設定することで、ガイド４０と咬合部５０とを同時に押すこととなり、かつ、ガイド４０と咬合部５０との間に指腹が深く入り込むのを防止することができるため、前述の効果を奏することができる。
【００３２】
図４は、袋体に取り付けられた従来のジッパーを指腹で挟持した状態を示す断面図である。従来のジッパー９００は、ガイド４０を有さないため、図４に示すように、雄部材１２及び雌部材１３を指腹で挟圧すると、雄部材１２及び雌部材１３の背面が凸となり、指腹で雄部材１２及び雌部材１３を押し当てたままでジッパー９００の長手方向にわたって滑らせると、指腹が、雄部材１２及び雌部材１３の背面から逸脱しやすい。さらに、指腹が雄部材１２及び雌部材１３に与える力Ｆａ，Ｆｂが、雄部材１２及び雌部材１３が適切に嵌合する方向とは違う方向に働く場合があり、雄部材１２と雌部材１３とが不適切な位置で接した状態で力強く挟持すると、雄部材１２及び雌部材１３が変形するおそれがある。特許文献２の図１〜図４に示された形態のように、ガイド（堰状帯）と咬合部との間隔が大きすぎても、同様のことが生じてしまう。
【００３３】
このような従来のジッパーに対して、本実施形態に係るジッパー１００では、ガイド４０の高さＴ４及びガイド４０と咬合部５０の中心５０ａとの間隔Ｓ１を前記のとおり設定した上で、ガイド４０が、咬合部５０の両脇に少なくとも１本ずつ設けられていることが好ましい。このようにガイド４０を配置することで、２本のガイド４０間において、フィルム２ａ，２ｂが袋体１の内側に撓む。フィルム２ａ，２ｂが袋体１の内側に撓むと、雄部材２０と雌部材３０とが、互いに近接する方向に押し出されるため、指腹が雄部材２０及び雌部材３０に与える力Ｆａ，Ｆｂが、雄部材２０及び雌部材３０が適切に嵌合する方向に働く。このように、雄部材２０と雌部材３０との嵌合が誘導され、雄部材２０と雌部材３０とを容易に、かつ、確実に嵌合することができる。結果として、雄部材２０又は雌部材３０の変形を防止することができる。さらに、図２（ｂ）に示すように、雄部材２０及び雌部材３０の背面が凹となる。これによって、指腹で雄部材２０及び雌部材３０を挟圧しながらジッパー１００の長手方向にわたって滑らせても、指腹が雄部材２０及び雌部材３０の背面から逸脱するのを防止して、雄部材２０と雌部材３０とを容易に、かつ、確実に嵌合することができる。なお、図２では、ガイド４０を、咬合部５０の両脇に１本ずつ設けた形態を示したが、本実施形態はこの形態に限定されず、咬合部５０の両脇に２本以上のガイド４０を設ける形態としてもよい。このような形態は、例えば、ガイド４０を咬合部５０の両脇に２本ずつ設ける形態、ガイド４０を咬合部５０よりも摘み片３側に２本及び収容空間４側に１本設ける形態である。
【００３４】
雄部材２０、雌部材３０又はガイド４０の材料は、熱可塑性樹脂であることが好ましく、例えば、ポリエチレン系樹脂、ポリプロピレン系樹脂、ポリアミド系樹脂、エチレン‐酢酸ビニル共重合体樹脂、エチレン‐メタクリル酸共重合体樹脂である。一種を単独で、又は二種以上を組み合わせて使用することができる。また、雄部材２０、雌部材３０又はガイド４０の材料は、同質とするか、又は異質とするかを問わない。
【００３５】
本実施形態に係るジッパー付き包装袋１０は、本実施形態に係るジッパー１００を備える。本実施形態に係るジッパー１００は、前述のとおり、ジッパー１００を構成する雄部材２０及び雌部材３０の変形を防止し、雄部材２０と雌部材３０との嵌合を容易に、かつ、確実にすることができるため、本実施形態に係るジッパー付き包装袋１０は、閉鎖及び開封を繰り返す用途に特に適している。
【００３６】
本実施形態に係るジッパー付き包装袋１０では、咬合部５０を１本だけ有することが好ましい。ジッパー付き包装袋１０の製造時の品質管理において、咬合部５０の嵌合状態の検査は、一般に、開口端辺５ｃ側からセンサを用いて検査するが、咬合部５０が２本以上あると、現行の品質管理方法では、開口端辺５ｃ側の１つだけが検査可能であり、それよりも収容空間４側に配置された咬合部の嵌合状態は検査することができない。
【００３７】
次に、本実施形態に係るジッパー付き包装袋の製造方法を、図１及び図２に示したジッパー付き包装袋１０の製造方法を例にとって説明する。まず、雄部材２０と雄部材２０の両脇にガイド４０を１本ずつとを有する雄部材側テープを、公知の押出成形機を用いて熱可塑性樹脂で一体成形する。一方、雌部材３０を有する雌部材側テープを成形する。次いで、雄部材側テープと雌部材側テープとを内面に挟む状態で、袋体１を構成するフィルム２（２ａ，２ｂ）を重ね合わせる。ここで、フィルム２（２ａ，２ｂ）は、表裏２枚のフィルムを重ね合わせるか、又は１枚のフィルムを中央部で折り返して重ね合わせてもよい。これを所定の間隔を有するテープ取付用シールバーの間に通す。テープ取付用シールバーは、フィルム２（２ａ，２ｂ）を外側から押圧するとともに、熱を加える。これによって、雄部材側テープが、フィルム２ａに熱融着され、雌部材側テープがフィルム２ｂに熱融着されて、ジッパー１００が袋体１に取り付けられる。その後、雄部材２０と雌部材３０とを嵌合する。最後に、周辺を密閉シール用のシールバーで熱融着して、シール部６を形成して、ジッパー付き包装袋１０を得ることができる。
【００３８】
なお、ここではジッパー１００と袋体１とが別体である場合について説明したが、本実施形態では、ジッパー１００と袋体１とが別体であるか、又は一体であるかを問わない。ジッパー１００と袋体１とが一体である場合には、各種テープの成形に代えて、金型を用いて、袋体１を構成するフィルム２に雄部材２０、雌部材３０及びガイド４０を成形することで、製造することができる。また、別体とする場合には、袋体１との接着強度を得る上で、ジッパー１００の材料をフィルム２の内表面２ａ１，２ｂ１を構成する材料と同質とすることが好ましい。
【００３９】
また、雄部材側テープとして雄部材２０とガイド４０とを一体成形する場合について説明したが、本実施形態では、雄部材２０を有する雄部材テープとガイド４０を有するガイドテープとを別体で成形して、雄部材テープとガイドテープとを並列して取り付けてもよい。
【００４０】
雄部材２０及び雌部材３０は、ジッパー１００の長手方向にわたって連続的に形成する形態とする他、雄部材２０又は雌部材３０を断続的に形成する形態とすることができる。雄部材２０又は雌部材３０を断続的に形成することで、雄部材２０と雌部材３０とが不連続に嵌合するため、雄部材２０と雌部材３０とが嵌合するごとに生じる変位を使用者の指先が感知して、更には嵌合するごとの変位に伴う音を使用者が聞くことによって、ジッパー１００が適切に閉じられたか否かを触感又は音感に基づいて感知することができる。
【００４１】
図２では、雄部材２０が左右対称形である形態を示したが、本実施形態はこれに限定されず、雄部材２０を左右非対称形とすることができる。雄部材２０を左右非対称形とする場合には、収容空間４側の下面２１ｂの大きさを開口端辺５ｃ側の下面２１ｂの大きさよりも大きくすることが好ましい。このようにすることで、開口端辺５ｃ側からは咬合部５０の嵌合を外し易く、収容空間４側からは咬合部５０の嵌合を外れにくくすることができるため、意図しない開封を防止しながら、開封したいときには小さな力で開封することができる。
【００４２】
図２では、雌部材３０を構成する第一側片３１及び第二側片３２が左右対称形である形態を示したが、本実施形態はこれに限定されず、第一側片３１及び第二側片３２を非対称形とすることができる。
【００４３】
図２（ａ）では、ガイド４０を雄部材２０側だけに設ける形態を示したが、本実施形態はこれに限定されず、ガイド４０を雌部材３０側だけに設けるか、又はガイド４０を雄部材２０側及び雌部材３０側の両方に設けることができる。
【００４４】
図１〜図３では、ガイド４０を咬合部５０の両脇に少なくとも１本ずつ設ける形態を示したが、本実施形態はこの配置に限定されず、ガイド４０を咬合部５０よりも摘み片３側だけに設ける形態又はガイド４０を咬合部５０よりも収容空間４側だけに設ける形態とすることができる。
【００４５】
ガイド４０は、少なくとも１本設ければよいが、２本以上を並列して設けてもよい。また、ガイド４０の本数は、咬合部５０よりも摘み片３側と収容空間４側とで同じ本数とするか、又は異なる本数としてもよい。
【産業上の利用可能性】
【００４６】
本発明は、例えば、食品、薬品、医療品、雑貨などの各種物品を包装するための袋体に用いられるジッパー及びジッパー付き包装袋として好適である。
【符号の説明】
【００４７】
１  袋体
２（２ａ，２ｂ）  フィルム
２ａ１，２ｂ１  フィルムの内表面
２ａ２，２ｂ２  フィルムの外表面
３  摘み片
４  収容空間
５  開口部
５ｃ  開口端辺
６  シール部
９  アンチスリップリブ
９ａ  強化リブ
１０  ジッパー付き包装袋
２０  雄部材
２１  頭部
２１ａ  頭部の上端部
２１ｂ  頭部の下面
２２  足部
３０  雌部材
３１  第一側片
３１ａ  第一側片の端部
３２  第二側片
３２ａ  第二側片の端部
３３  凹部
４０，４１  ガイド
４０ａ，４１ａ  ガイドの天面
４１ｂ  溝部
５０  咬合部
５０ａ  咬合部の中心
１００  ジッパー
９００  従来のジッパー
【図１】
2012115511.tif 000003
【図２】
2012115511.tif 000004
【図３】
2012115511.tif 000005
【図４】
2012115511.tif 000006